(57)【要約】      （修正有）【課題】かかとのひび割れや足裏のガサガサを効率的かつ容易に対処することができるかかとケア装置を提供する。【解決手段】２枚の合成樹脂材料製の膜１２ａ、１２ｂを重ね合わせることによって形成された本体１２を備え、膜の一方１２ｂに、単一又は複数の空気抜き孔が設けられており、空気抜き孔が設けられていない方の膜１２ａを身体の所望箇所に接するようにした状態で装着するように構成され、本体を身体の所望箇所に固定するための固定手段をさらに備え、固定手段が、本体の両端に取り付けられた固定バンド１４と、固定バンドの先端に配置された面状ファスナ１６とを有することを特徴とする。【選択図】図１
0003183054.tif 000002
【実用新案登録請求の範囲】
【請求項１】
かかとケア装置であって、
２枚の合成樹脂材料製の膜を重ね合わせることによって形成された本体を備え、
前記膜の一方に、単一又は複数の空気抜き孔が設けられており、
前記空気抜き孔が設けられていない方の膜を身体の所望箇所に接するようにした状態で装着するように構成されていることを特徴とする装置。
【請求項２】
かかとケア装置であって、
１枚の合成樹脂材料製の膜によって形成された本体を備え、
前記膜を身体の所望箇所に接するようにした状態で装着するように構成されていることを特徴とする装置。
【請求項３】
前記本体を身体の所望箇所に固定するための固定手段をさらに備え、
前記固定手段が、前記本体の両端に取り付けられた固定バンドと、前記固定バンドの先端に配置された面状ファスナとを有することを特徴とする請求項１又は２に記載された装置。
【考案の詳細な説明】
【技術分野】
【０００１】
本考案は、かかとのひび割れや足裏に生ずるガサガサ等のいわゆる皮膚の乾燥疾患を改善するためのかかとケア装置に関する。
【背景技術】
【０００２】
かかとのひび割れや足裏に生ずるガサガサ等は、痛みを伴うことも多いため、当事者にとっては厄介な現象である。従来、このようなかかとのひび割れや足裏のガサガサへの対処法として、当該部に薬を塗布する方法、絆創膏を貼る方法、油分入れの軟膏を塗る方法、角質の場合には角質を削り取る方法などが行われている。
【考案の概要】
【考案が解決しようとする課題】
【０００３】
しかしながら、薬を塗布する方法では、薬を塗布しても直ぐに乾燥するため、何度も繰り返し薬を塗布しなければならないという不都合がある。また、薬の塗布を中断すると、ひび割れが直ぐに生じたり、足裏のガサガサ等が再発したりするため、根本的な対処法とは、言い難いという不都合がある。また、塗布する薬には保湿成分が混入されているため、塗布するとベタ付き感が生じ、靴下や寝具等が汚れしまうという不都合もある。さらに、薬が比較的高価であるため、経済的にも負担になるという不都合もある。
【０００４】
一方、絆創膏を貼る方法では、当該部が乾燥しているため、絆創膏が剥がれやすく、専用の絆創膏の購入費用も高価であるという不都合がある。また、角質を削り取る方法は、手間がかかるため、長続きしないという不都合がある。さらに薬を塗布しただけでは、角質を取るのは難しいという不都合もある。このように、現在試みられている方法では、満足すべきものが見受けられないという状況がある。
【０００５】
本考案は、このような状況に鑑みて開発されたものであって、かかとのひび割れや足裏のガサガサを効率的かつ容易に対処することができるかかとケア装置を提供することを目的としている。
【課題を解決するための手段】
【０００６】
本願請求項１に記載のかかとケア装置は、２枚の合成樹脂材料製の膜を重ね合わせることによって形成された本体を備え、前記膜の一方に、単一又は複数の空気抜き孔が設けられており、前記空気抜き孔が設けられていない方の膜を身体の所望箇所に接するようにした状態で装着するように構成されていることを特徴とするものである。
【０００７】
本願請求項２に記載のかかとケア装置は、１枚の合成樹脂材料製の膜によって形成された本体を備え、前記膜を身体の所望箇所に接するようにした状態で装着するように構成されていることを特徴とするものである。
【０００８】
本願請求項３に記載のかかとケア装置は、前記請求項１又は２の装置において、前記本体を身体の所望箇所に固定するための固定手段をさらに備え、前記固定手段が、前記本体の両端に取り付けられた固定バンドと、前記固定バンドの先端に配置された面状ファスナとを有することを特徴とするものである。
【考案の効果】
【０００９】
本考案のかかとケア装置によれば、当該箇所の保湿を手軽にかつ効果的に行うことができるので、皮膚の乾燥疾患に良好に対処することができる。本考案の装置は、構造が簡単であるので、安価に提供することができ、使い捨ても可能であるので、維持管理に手間を要しない。
【００１０】
本考案の装置は、かかとや足裏のケアの他、上肢、背中、肩等の身体の他の部位に生じ得る皮膚の乾燥疾患のケアに関して使用することができる。
【図面の簡単な説明】
【００１１】
【図１】図１（ａ）は、本考案の好ましい実施の形態に係るかかとケア装置を示した平面図、図１（ｂ）は、図１（ａ）の線１ｂ−１ｂに沿って見た断面図である。
【図２】図１（ｂ）の部分２の拡大図である。
【図３】本考案の好ましい実施の形態に係るかかとケア装置の使用例を示した図である。
【図４】図４（ａ）は、本考案の変形形態に係るかかとケア装置を示した平面図、図４（ｂ）は、図４（ａ）の線４ｂ−４ｂに沿って見た断面図、図４（ｃ）は、図４（ａ）のかかとケア装置の使用例を示した図である。
【考案を実施するための形態】
【００１２】
次に添付図面を参照して、本考案の好ましい実施の形態に係るかかとケア装置について詳細に説明する。図１（ａ）は、本考案の好ましい実施の形態に係るかかとケア装置の平面図、図１（ｂ）は、図１（ａ）のかかとケア装置の断面図である。図１（ａ）において全体として参照符号１０で示される本考案の好ましい実施の形態に係るかかとケア装置は、本体１２を備えている。
【００１３】
本体１２は、２枚の合成樹脂材料製の膜１２ａ、１２ｂを重ね合わせることによって形成されている。膜１２ａ、１２ｂを形成する合成樹脂材料は、湿度を逃がさない保湿効果を有するビニル等の公知の材料を使用してよい。
【００１４】
好ましくは、一方の膜（後述するように、皮膚が接する側と反対側の膜）１２ｂには、膜１２ａ、１２ｂによって形成される本体１２内の空気を逃がすための単一又は複数の空気抜き孔１２ｂ１が設けられている（図２参照）。
【００１５】
かかとケア装置１０はまた、本体１０の両端に取り付けられた固定バンド１４と、固定バンド１４の先端に配置された面状ファスナ１６とを備えている。好ましくは、固定バンド１４は、ゴム等の伸縮性材料で形成されている。
【００１６】
次に、以上のように構成されたかかとケア装置１０の使用について説明する。図３は、かかとケア装置１０がかかとに装着されている状態を示した図である。かかとケア装置１０の本体１２の空気抜き孔１２ｂ１が設けられていない方の膜１２ａがかかとに接するようにした状態で、両方の固定バンド１４を足の甲の上端に位置させ、面状ファスナ１６で固定することによって、かかとケア装置１０が装着される。このようにしてかかとケア装置１０を装着すると、膜１２ａがかかとに密着するため、かかと及びその周囲からの汗が保持され、これによりかかと部分が常時、適度に湿り気を帯びるため、かかとのひび割れを治癒することができる。また、本体１２が二重構造になっているため、パットとして使用することもでき、歩行時の障害が回避される。さらに、空気抜き孔１２ｂ１を設けることにより、歩行時に滑ることを防止することができる。
【００１７】
図３に示される例では、装置１０がかかとに装着されているが、足裏に装着することにより、足裏のガサガサを治癒することができる。また、足以外の箇所（例えば、指先）に装着することにより、あかぎれ等に対処することもできる。
【００１８】
図４は、変形形態に係るかかとケア装置１０′を示した図である。図４に示されるかかとケア装置１０′は、固定バンド１４及び面状ファスナ１６を備えていない点を除いて、かかとケア装置１０と実質的に同一の構成を有している。すなわち、かかとケア装置１０′では、装着用の固定バンド１４及び面状ファスナ１６を設ける代わりに、本体１２を延長し、延長部分を結ぶことによって、身体の所望箇所にかかとケア装置１０′を装着することができる（図４（ｃ）参照）。
【００１９】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２０】
たとえば、図示された各構成要素（本体、固定バンド、面状ファスナ）の形状や寸法は、単なる例示的なものであり、図示された以外の形状や寸法のものを使用してもよい。また、前記実施形態では、本体１２が二重の膜から形成されているが、本体を一重の膜で形成してもよい。
【００２１】
また、本考案に係る装置は、かかとケア装置と名付けられているが、かかとや足裏のケアに限らず、身体の他の部位に生じ得る皮膚の乾燥疾患に対して広範に使用することができる。
【符号の説明】
【００２２】
１０、１０′  かかとケア装置
１２  本体
１２ａ、１２ｂ  膜
１２ｂ１  空気抜き孔
１４  固定バンド
１６  面状ファスナ
【図１】
0003183054.tif 000003
【図２】
0003183054.tif 000004
【図３】
0003183054.tif 000005
【図４】
0003183054.tif 000006
【手続補正書】
【提出日】平成25年2月20日(2013.2.20)
【手続補正１】
【補正対象書類名】実用新案登録請求の範囲
【補正対象項目名】全文
【補正方法】変更
【補正の内容】
【実用新案登録請求の範囲】
【請求項１】
かかとケア装置であって、
２枚の合成樹脂材料製の膜を重ね合わせることによって形成された本体を備え、
前記膜の一方に、単一又は複数の空気抜き孔が設けられており、
前記空気抜き孔が設けられていない方の膜を身体の所望箇所に接するようにした状態で装着するように構成されていることを特徴とする装置。
【請求項２】
前記本体を身体の所望箇所に固定するための固定手段をさらに備え、
前記固定手段が、前記本体の両端に取り付けられた固定バンドと、前記固定バンドの先端に配置された面状ファスナとを有することを特徴とする請求項１に記載された装置。
【請求項３】
かかとケア装置であって、
１枚の合成樹脂材料製の膜によって形成された本体と、
前記本体を身体の所望箇所に固定するための固定手段とを備え、
前記膜を身体の所望箇所に接するようにした状態で装着するように構成されていることを特徴とする装置。
【手続補正２】
【補正対象書類名】明細書
【補正対象項目名】０００７
【補正方法】変更
【補正の内容】
【０００７】
本願請求項２に記載のかかとケア装置は、前記請求項１の装置において、前記本体を身体の所望箇所に固定するための固定手段をさらに備え、前記固定手段が、前記本体の両端に取り付けられた固定バンドと、前記固定バンドの先端に配置された面状ファスナとを有することを特徴とするものである。
【手続補正３】
【補正対象書類名】明細書
【補正対象項目名】０００８
【補正方法】変更
【補正の内容】
【０００８】
本願請求項３に記載のかかとケア装置は、１枚の合成樹脂材料製の膜によって形成された本体と、前記本体を身体の所望箇所に固定するための固定手段とを備え、前記膜を身体の所望箇所に接するようにした状態で装着するように構成されていることを特徴とするものである。